(57)【特許請求の範囲】
【請求項１】
筐体と、
前記筐体の外部から内部に紙幣を投入するための入金口と、
前記筐体の下部に配置され、略水平方向に沿って並列に複数設けられた、紙幣の収納を行うための収納庫と、
前記筐体の内部において前記各収納庫と並列に配置され、前記入金口により前記筐体の外部から内部に投入された紙幣を一時的に保留するための一時保留用収納庫と、
前記筐体の内部において前記各収納庫および前記一時保留用収納庫の上方に設けられ、前記入金口、前記各収納庫および前記一時保留用収納庫の間で紙幣の搬送を行う搬送部と、
前記搬送部における前記各収納庫または前記一時保留用収納庫への分岐箇所にそれぞれ設けられ、前記搬送部により搬送される紙幣を特定の収納庫または一時保留用収納庫に振り分けるための複数の分岐部材と、
を備え、
前記一時保留用収納庫は収納庫単体で紙幣を一時的に保留し、
前記一時保留用収納庫で紙幣が積層状態で収納され、
前記一時保留用収納庫は前記各収納庫と略同一の容量を有することを特徴とする紙幣処理装置。
【請求項２】
前記搬送部は、前記各収納庫および前記一時保留用収納庫の上方に配置される横長のループ形状の搬送路を有していることを特徴とする請求項１に記載の紙幣処理装置。
【請求項３】
前記搬送部は、前記ループ形状の搬送路からそれぞれ下方に分岐して前記各収納庫および前記一時保留用収納庫に接続される複数の分岐搬送路を更に有していることを特徴とする請求項２記載の紙幣処理装置。
【請求項４】
前記各分岐部材は、前記ループ形状の搬送路から前記分岐搬送路が分岐する分岐箇所に設けられる分岐爪からなり、分岐爪からなる分岐部材は軸を中心として回転自在となっており、前記ループ形状の搬送路で搬送される紙幣を前記各収納庫または前記一時保留用収納庫に送る際に、紙幣が送られるべき収納庫または一時保留用収納庫に対応する分岐部材が回転することにより前記搬送部により搬送される紙幣が特定の収納庫または一時保留用収納庫に振り分けられることを特徴とする請求項３記載の紙幣処理装置。
【請求項５】
前記筐体の内部において前記搬送部の上部に設けられ、当該搬送部から搬送された紙幣を帯封するための帯封部と、
前記入金口の近傍に設けられ、前記帯封部により帯封が行われた帯封紙幣を筐体の外部に投出するための帯封紙幣出金口と、
を更に備えたことを特徴とする請求項１乃至４のいずれか一項に記載の紙幣処理装置。
【発明の詳細な説明】
【技術分野】
【０００１】
本発明は、紙幣の入金等の処理を行うための紙幣処理装置に関し、とりわけ、紙幣を大量に収納することができるとともに、一回の取引で大量の紙幣の入金処理を行うことができる紙幣処理装置に関する。
【背景技術】
【０００２】
従来から、例えば特許文献１等に示すように、紙幣の入金や出金等の処理を行うための様々なタイプの紙幣処理装置が知られている。特許文献１等に開示されるような従来の紙幣処理装置において、筐体の下部には金種毎に紙幣を収納する複数の収納庫が設けられており、筐体内において各収納庫の上方には紙幣を一時的に保留するための一時保留部が設けられている。また、筐体の内部において一時保留部の上方には、入金口により筐体の内部に投入された紙幣を搬送するための搬送部が設けられており、この搬送部の上方には、積層状態にある紙幣の束の帯封を行うための帯封部が設けられている。
【０００３】
特許文献１に示す紙幣処理装置では、入金口により筐体の内部に投入された紙幣は搬送部により筐体の内部で搬送され、この搬送部に設けられた識別部により金種等の識別が行われ、その後、一時保留部で一時的に保留される。そして、紙幣の入金処理の確定が行われると、一時保留部で一時的に保留された紙幣は各収納庫に金種別に収納されることとなる。また、各収納庫に収納された紙幣を帯封紙幣として出金する際には、各収納庫から紙幣が帯封部に送られ、この帯封部において紙幣の束の帯封が行われ、帯封紙幣が帯封紙幣出金口から出金されるようになっている。
【０００４】
【特許文献１】特開１０−１８８０７７号公報
【発明の開示】
【発明が解決しようとする課題】
【０００５】
しかしながら、特許文献１等に示すような従来の紙幣処理装置においては、筐体内において各収納庫の上方に一時保留部が設けられているため、筐体の高さが大きくなってしまい、紙幣処理装置の設置スペースが大きくなってしまうという問題があった。
【０００６】
また、一時保留部および各収納庫は筐体の高さ方向に並んで配置されているので、一時保留部の容量を大きくすると収納庫の容量が小さくなってしまい、紙幣処理装置全体の紙幣の収納量が減少してしまう。一方、一時保留部の容量を小さくすると、紙幣処理装置に収納すべき紙幣の量が多い場合には継続入金処理を行わなければならず、操作者にとって使い勝手が悪いという問題がある。
【０００７】
本発明は、このような点を考慮してなされたものであり、筐体の内部において各収納庫と一時保留用収納庫とを並列に配置することにより、筐体の高さが大きくなってしまうことを抑止することができるとともに収納庫および一時保留用収納庫の容量を大きくすることができ、このことにより紙幣を大量に収納することができるとともに一回の取引で大量の紙幣の入金処理を行うことができる紙幣処理装置を提供することを目的とする。
【課題を解決するための手段】
【０００８】
本発明の紙幣処理装置は、筐体と、前記筐体の外部から内部に紙幣を投入するための入金口と、前記筐体の下部に配置され、略水平方向に沿って並列に複数設けられた、紙幣の収納を行うための収納庫と、前記筐体の内部において前記各収納庫と並列に配置され、前記入金口により前記筐体の外部から内部に投入された紙幣を一時的に保留するための一時保留用収納庫と、前記筐体の内部において前記各収納庫および前記一時保留用収納庫の上方に設けられ、前記入金口、前記各収納庫および前記一時保留用収納庫の間で紙幣の搬送を行う搬送部と、前記搬送部における前記各収納庫または前記一時保留用収納庫への分岐箇所にそれぞれ設けられ、前記搬送部により搬送される紙幣を特定の収納庫または一時保留用収納庫に振り分けるための複数の分岐部材と、を備えたことを特徴とする。
【０００９】
このような紙幣処理装置によれば、筐体の内部において、紙幣の収納を行うための複数の収納庫と、紙幣を一時的に保留するための一時保留用収納庫とが並列に配置されている。そして、搬送部における各収納庫または一時保留用収納庫への分岐箇所にそれぞれ分岐部材が設けられており、これらの分岐部材により、搬送部により搬送される紙幣が特定の収納庫または一時保留用収納庫に振り分けられるようになっている。このように、各収納庫と一時保留用収納庫とが略水平方向に沿って並列に配置されているので、筐体の高さが大きくなってしまうことを抑止することができるとともに収納庫および一時保留用収納庫の容量を大きくすることができる。そして、収納庫の容量を大きくすることができるので紙幣処理装置は紙幣を大量に収納することができ、また、一時保留用収納庫の容量を大きくすることができるので一回の取引で大量の紙幣の入金処理を行うことができる。
【００１０】
本発明の紙幣処理装置においては、前記一時保留用収納庫は前記各収納庫と略同一の容量を有することが好ましい。このことにより、一時保留用収納庫を収納庫と同一部品で構成させることができるようになる。
【００１１】
本発明の紙幣処理装置においては、前記搬送部は、前記各収納庫および前記一時保留用収納庫の上方に配置される横長のループ形状の搬送路を有していることが好ましい。このことにより、紙幣処理装置の筐体の高さが大きくなってしまうことをより一層抑止することができる。また、筐体の奥行き方向に収納庫を増設する場合にも、紙幣処理装置の内部の構成を大幅に変更する必要がなくなる。
【００１２】
上述のような紙幣処理装置においては、前記搬送部は、前記ループ形状の搬送路からそれぞれ下方に分岐して前記各収納庫および前記一時保留用収納庫に接続される複数の分岐搬送路を更に有していることが好ましい。
【００１３】
また、この際に、前記各分岐部材は、前記ループ形状の搬送路から前記分岐搬送路が分岐する分岐箇所に設けられる分岐爪からなり、分岐爪からなる分岐部材は軸を中心として回転自在となっており、前記ループ形状の搬送路で搬送される紙幣を前記各収納庫または前記一時保留用収納庫に送る際に、紙幣が送られるべき収納庫または一時保留用収納庫に対応する分岐部材が回転することにより前記搬送部により搬送される紙幣が特定の収納庫または一時保留用収納庫に振り分けられることが好ましい。このような分岐爪からなる分岐部材が各分岐箇所に設けられていることにより、搬送部により搬送される紙幣を確実に特定の収納庫または一時保留用収納庫に振り分けることができる。
【００１４】
本発明の紙幣処理装置においては、前記筐体の内部において前記搬送部の上部に設けられ、当該搬送部から搬送された紙幣を帯封するための帯封部と、前記入金口の近傍に設けられ、前記帯封部により帯封が行われた帯封紙幣を筐体の外部に投出するための帯封紙幣出金口と、を更に備えることが好ましい。筐体の内部において搬送部の上方に帯封部が設けられているので、入金口と帯封部の位置が近くなり、紙幣の出金処理のための紙幣処理装置の構成が簡単になる。また、入金口の近傍に帯封紙幣出金口を設けているので、この入金口を、筐体の外部から内部に紙幣を投入するともに筐体の内部から外部にバラ紙幣を投出するための入出金口として用いた場合には、バラ紙幣と帯封紙幣の出金口を別々に配置しても操作者による各出金口からの紙幣の取り忘れをできるだけ防ぐようにすることができる。
【発明の効果】
【００１５】
本発明の紙幣処理装置によれば、筐体の高さが大きくなってしまうことを抑止することができるとともに収納庫および一時保留用収納庫の容量を大きくすることができ、このため、紙幣を大量に収納することができ、また、一回の取引で大量の紙幣の入金処理を行うことができる。
【発明を実施するための最良の形態】
【００１６】
以下、図面を参照して本発明の一の実施の形態について説明する。図１乃至図１０は、本実施の形態に係る紙幣処理装置を示す図である。このうち、図１は、本実施の形態における紙幣処理装置の外観を示す斜視図であり、図２は、図１に示す紙幣処理装置の正面図である。また、図３は、図１に示す紙幣処理装置の内部の構成を示す構成図であり、図４乃至図６は、図３に示す紙幣処理装置に設けられた分岐部材の構成を示す拡大説明図である。また、図７乃至図９は、図３に示す紙幣処理装置に設けられた帯封紙幣出金口およびシャッター機構の構成を示す側面図であり、図１０（ａ）〜（ｇ）は、図３に示す紙幣処理装置に設けられた帯封部から帯封紙幣出金口に帯封紙幣が受け渡されるときの動作を順に示す図である。
【００１７】
まず、図１乃至図３を用いて、本実施の形態の紙幣処理装置１０の全体的な構成について概略的に説明する。なお、図３において、参照符号Ｓはバラ紙幣を示し、参照符号Ｓ´は積層状態に集積されたバラ紙幣の束を示し、参照符号Ｔは帯封紙幣を示す。図１に示すように、紙幣処理装置１０は略直方体形状の筐体１２を備えており、この筐体１２の前面には、当該筐体１２の外部から内部にバラ紙幣を投入するとともに筐体１２の内部から外部にバラ紙幣を投出するための入出金口２０が筐体１２の外部に露出するよう設けられている。入出金口２０には開口部が設けられており、この開口部にはシャッター機構２２が設けられている。そして、シャッター機構２２により入出金口２０の開口部の開閉が行われるようになっている。また、図３等に示すように、筐体１２の下部には４つの収納カセット４０および１つの一時保留用収納カセット４２が略水平方向に沿って並列に設けられている。ここで、各収納カセット４０は、紙幣を金種別に収納するようになっている。また、一時保留用収納カセット４２は、入出金口２０により筐体１２の外部から内部に投入された紙幣を一時的に保留するようになっている。
【００１８】
また、図３等に示すように、筐体１２の内部において各収納カセット４０および一時保留用収納カセット４２の上方には搬送部３０が設けられており、この搬送部３０は、入出金口２０、各収納カセット４０および一時保留用収納カセット４２の間で紙幣の搬送を行うようになっている。また、筐体１２の内部において搬送部３０の上方には、この搬送部３０から搬送された紙幣を帯封するための帯封部５０が設けられている。また、筐体１２の前面には、帯封部５０により帯封が行われた帯封紙幣を筐体１２の外部に投出するための帯封紙幣出金口６０が筐体１２の外部に露出するよう設けられている。図１や図２に示すように、帯封紙幣出金口６０は入出金口２０の近傍に設けられている。また、帯封紙幣出金口６０には開口部が設けられており、この開口部にはシャッター機構６２が設けられている。そして、シャッター機構６２により帯封紙幣出金口６０の開口部の開閉が行われるようになっている。
【００１９】
以下、このような紙幣処理装置１０の各構成要素について詳述する。
【００２０】
入出金口２０は、図１乃至図３に示すように、筐体１２の前面に設けられており、操作者がこの入出金口２０にバラ紙幣Ｓの束を投入したりこの入出金口２０からバラ紙幣Ｓの束を取り出したりすることができるよう構成されている。より具体的には、図３に示すように入出金口２０は鉛直方向に対して斜めに傾斜しており、この入出金口２０にはバラ紙幣Ｓが斜めに傾斜して投入されるようになっている。入出金口２０には紙幣繰出機構２１が設けられており、この紙幣繰出機構２１により入出金口２０に集積されたバラ紙幣Ｓが１枚ずつ搬送部３０に繰り出されるようになっている。また、バラ紙幣の出金処理を行う際には、搬送部３０からバラ紙幣Ｓが１枚ずつ入出金口２０に送られるようになっている。
【００２１】
図１等に示すように、入出金口２０の開口部にはシャッター機構２２が設けられており、このシャッター機構２２により入出金口２０の開口部が開閉されるようになっている。より具体的には、操作者が入出金口２０にバラ紙幣Ｓの束を投入したり入出金口２０から  バラ紙幣Ｓの束を取り出したりする際には、シャッター機構２２が開いて入出金口２０が筐体１２の外部に露出されるようになっている。一方、入出金口２０に集積されたバラ紙幣Ｓが１枚ずつ紙幣繰出機構２１により搬送部３０に繰り出されたり搬送部３０から入出金口２０にバラ紙幣Ｓが１枚ずつ送られたりする際には、シャッター機構２２が入出金口２０を閉じるようになっている。
【００２２】
図３に示すように、搬送部３０には識別部３１が設置されている。識別部３１は、入出金口２０から搬送部３０に繰り出された紙幣の金種や正損、真偽等を識別するようになっている。また、筐体１２の内部には入金リジェクト部２４が設けられており、この入金リジェクト部２４は搬送部３０に接続されている。そして、入金された紙幣のうち識別部３１により正常な紙幣ではないリジェクト紙幣であると識別された紙幣や、識別部３１により識別することができなかった紙幣は搬送部３０から入金リジェクト部２４に送られるようになっている。また、筐体１２の内部には出金リジェクト部２６が設けられており、この出金リジェクト部２６は搬送部３０に接続されている。そして、出金の際に一時保留用収納カセット４２から繰り出された紙幣のうち、識別部３１により正常な紙幣ではないリジェクト紙幣であると識別された紙幣や、識別部３１により識別することができなかった紙幣は搬送部３０から出金リジェクト部２６に送られるようになっている。
【００２３】
図３に示すように、各収納カセット４０および一時保留用収納カセット４２は、筐体１２の奥行き方向（図３の左右方向）に沿って並列に配置されている。各収納カセット４０および一時保留用収納カセット４２にはそれぞれ搬送部３０から１枚ずつ紙幣が送られるようになっている。ここで、各収納カセット４０および一時保留用収納カセット４２はそれぞれ扁平状の略直方体形状のものからなり、搬送部３０から送られた紙幣が積層状態に収納されるようになっている。また、各収納カセット４０および一時保留用収納カセット４２にはそれぞれ紙幣繰出機構４１、４３が設けられており、これらの収納カセット４０や一時保留用収納カセット４２に収納された紙幣は紙幣繰出機構４１、４３により１枚ずつ搬送部３０に繰り出すことができるようになっている。
【００２４】
ここで、一時保留用収納カセット４２は各収納カセット４０と略同一の容量（紙幣収納量）を有していてもよい。この場合には、一時保留用収納カセット４２を収納カセット４０と同一部品で構成させることができるようになる。
【００２５】
図３に示すように、搬送部３０は、各収納カセット４０および一時保留用収納カセット４２の上方に配置される横長のループ形状の搬送路３２を有している。また、搬送部３０は、ループ形状の搬送路３２からそれぞれ下方に分岐して各収納カセット４０および一時保留用収納カセット４２に接続される複数の分岐搬送路３４を有している。このため、図３に示すように、搬送部３０には、ループ形状の搬送路３２と各々の分岐搬送路３４とが接続される箇所である分岐箇所３５（Ｔ字路）が、搬送路３２に沿って複数形成されることとなる。
【００２６】
搬送部３０の搬送路３２における各収納カセット４０または一時保留用収納カセット４２への分岐箇所３５には、分岐爪からなる分岐部材３６がそれぞれ設けられている。各分岐部材３６は、搬送部３０の搬送路３２により搬送される紙幣を特定の収納カセット４０または一時保留用収納カセット４２に振り分けるようになっている。
【００２７】
ここで、分岐箇所３５に設置される分岐部材３６の具体的な構成について図４乃至図６を用いて説明する。ここで、図４は、分岐箇所３５に対して右側の搬送路３２から紙幣が搬送されたときの分岐部材３６の向きを示す図であり、図５は、分岐箇所３５に対して左側の搬送路３２から紙幣が搬送されたときの分岐部材３６の向きを示す図であり、図６は、分岐箇所３５に対して分岐搬送路３４から紙幣が搬送されたときの分岐部材３６の向きを示す図である。
【００２８】
図４乃至図６に示すように、分岐部材３６は細長い二等辺三角形形状（いわゆる洗濯バサミに似た形状）の分岐爪からなり、この分岐部材３６は、その中心の位置に設けられた軸３６ａを中心として回転自在となっている。ここで、分岐箇所３５に対してどの方向から紙幣が送られるか、および分岐箇所３５に送られた紙幣をどの搬送路に搬送するかに基づいて、分岐部材３６の向き、より具体的には分岐部材３６の先端部分３６ｂの位置が決められるようになっている。
【００２９】
より詳細には、図４に示すように、分岐箇所３５に対して右側の搬送路３２から紙幣が搬送されたときには、分岐部材３６の先端部分３６ｂは右側の搬送路３２に向くようになっている。そして、分岐箇所３５の右側の搬送路３２から左側の搬送路３２に紙幣を送る際には、分岐部材３６が図４の実線に示すような向きとなるようこの分岐部材３６が軸３６ａを中心として回転させられ、分岐部材３６の先端部分３６ｂの位置が調整される。一方、分岐箇所３５の右側の搬送路３２から分岐搬送路３４に紙幣を送る際には、分岐部材３６が図４の二点鎖線に示すような向きとなるようこの分岐部材３６が軸３６ａを中心として回転させられ、分岐部材３６の先端部分３６ｂの位置が調整される。
【００３０】
また、図５に示すように、分岐箇所３５に対して左側の搬送路３２から紙幣が搬送されたときには、分岐部材３６の先端部分３６ｂは左側の搬送路３２に向くようになっている。そして、分岐箇所３５の左側の搬送路３２から分岐搬送路３４に紙幣を送る際には、分岐部材３６が図５の実線に示すような向きとなるようこの分岐部材３６が軸３６ａを中心として回転させられ、分岐部材３６の先端部分３６ｂの位置が調整される。一方、分岐箇所３５の左側の搬送路３２から右側の搬送路３２に紙幣を送る際には、分岐部材３６が図５の二点鎖線に示すような向きとなるようこの分岐部材３６が軸３６ａを中心として回転させられ、分岐部材３６の先端部分３６ｂの位置が調整される。
【００３１】
また、図６に示すように、分岐箇所３５に対して分岐搬送路３４から紙幣が搬送されたときには、分岐部材３６の先端部分３６ｂは分岐搬送路３４に向くようになっている。そして、分岐搬送路３４から分岐箇所３５の右側の搬送路３２に紙幣を送る際には、分岐部材３６が図６の実線に示すような向きとなるようこの分岐部材３６が軸３６ａを中心として回転させられ、分岐部材３６の先端部分３６ｂの位置が調整される。一方、分岐搬送路３４から分岐箇所３５の左側の搬送路３２に紙幣を送る際には、分岐部材３６が図６の二点鎖線に示すような向きとなるようこの分岐部材３６が軸３６ａを中心として回転させられ、分岐部材３６の先端部分３６ｂの位置が調整される。
【００３２】
このように、搬送部３０におけるループ形状の搬送路３２から分岐搬送路３４が分岐する分岐箇所３５に、それぞれ分岐爪からなる分岐部材３６が設けられており、この分岐部材３６は軸３６ａを中心として回転自在となっており、ループ形状の搬送路３２で搬送される紙幣を各収納カセット４０または一時保留用収納カセット４２に送る際に、紙幣が送られるべき収納カセット４０または一時保留用収納カセット４２に対応する分岐部材３６が回転することにより、搬送部３０により搬送される紙幣が特定の収納カセット４０または一時保留用収納カセット４２に振り分けられるようになる。また、分岐部材３６の向きを調整することにより、各収納カセット４０や一時保留用収納カセット４２から紙幣繰出機構４１、４３により分岐搬送路３４に繰り出された紙幣をループ形状の搬送路３２に送ることができるようになる。
【００３３】
搬送部３０の上部に設けられた帯封部５０は、この搬送部３０から搬送された紙幣の帯封を行うようになっている。この帯封部５０の具体的な構成について図３を用いて説明する。前述のように、図３において、参照符号Ｓ´は積層状態に集積されたバラ紙幣の束を示し、参照符号Ｔは帯封紙幣を示す。
【００３４】
図３に示すように、帯封部５０には、搬送部３０から１枚ずつ送られた紙幣が積層状態で集積される一時保留ステージ５１が設けられており、この一時保留ステージ５１の近傍には束ガイド部材５８が設けられている。また、帯封部５０には搬送アーム５２が設けられており、この搬送アーム５２は、一時保留ステージ５１に積層状態で集積されたバラ紙幣の束Ｓ´を一括して搬送するようになっている。より具体的には、一時保留ステージ５１に集積されたバラ紙幣の束Ｓ´は、搬送アーム５２によって一時保留ステージ５１から引き抜かれるが、束ガイド部材５８が上下に設けられているので、引き抜かれた時にバラ紙幣の束Ｓ´の端部の広がりを防止することができる。また、搬送アーム５２は上アーム部分５２ａおよび下アーム部分５２ｂから構成されており、上アーム部分５２ａおよび下アーム部分５２ｂにより紙幣を上下から掴むようになっている。そして、上アーム部分５２ａが上下動することで紙幣を掴んだり離したりするようになっている。
【００３５】
また、帯封部５０は、上部札締め部材５３と、下部札締め部材５４と、ヒータ５６と、帯封紙供給部５７と、印字部６７とを有している。これらの上部札締め部材５３、下部札締め部材５４、ヒータ５６、帯封紙供給部５７および印字部６７により帯封機構５９が構成されている。前述のように搬送アーム５２にバラ紙幣の束Ｓ´が引き渡された後、この搬送アーム５２は上部札締め部材５３と下部札締め部材５４との間の位置に移動する。そして、搬送アーム５２上にあるバラ紙幣の束Ｓ´に対して帯封紙供給部５７から帯封紙が供給され、バラ紙幣の束Ｓ´が帯封紙で巻かれる。その後、帯封紙で巻かれたバラ紙幣の束Ｓ´は、上部札締め部材５３および下部札締め部材５４により上下方向から挟圧されるとともに、ヒータ５６により加熱させられる。このことにより、帯封紙によってバラ紙幣の束Ｓ´の帯封処理（結束処理）が行われ、帯封紙幣Ｔが形成されることとなる。
【００３６】
また、帯封部５０には、帯封紙幣Ｔの帯封紙に対して印字を行うスタンプ５５が設けられている。帯封機構５９により帯封処理が行われた帯封紙幣Ｔはスタンプ５５に送られ、このスタンプ５５によって帯封紙幣Ｔの帯封紙に対して、銀行名や、正券か損券かを示す印等の押印が行われる。また、帯封部５０には、帯封紙に日付やシリアルナンバー等の印字を行うための印字部６７が設けられており、帯封紙供給部５７から帯封紙が供給される際にこの印字部６７により帯封紙に対して印字が行われるようになっている。
【００３７】
その後、帯封紙幣Ｔは搬送アーム５２により帯封紙幣出金口６０に送られる。ここで、シャッター機構６２が帯封紙幣出金口６０の開口部を閉じた状態で、帯封紙幣出金口６０には複数の束の帯封紙幣Ｔを集積させることができるようになっている。そして、帯封紙幣出金口６０に複数の束の帯封紙幣Ｔが集積された後、シャッター機構６２が帯封紙幣出金口６０の開口部を開くことにより、操作者は複数の束の帯封紙幣Ｔを一括して取り出すことができるようになっている。なお、シャッター機構６２は、帯封紙幣出金口６０に所定の数の帯封紙幣Ｔが集積されるまで帯封紙幣出金口６０の開口部を開かないよう構成されている。
【００３８】
また、搬送アーム５２は側面視で帯封部５０の略中央位置に配置され、一時保留ステージ５１、帯封機構５９、スタンプ５５、印字部６７および帯封紙幣出金口６０は搬送アーム５２の周囲に配置されている。そして、搬送アーム５２は、これらの一時保留ステージ５１、帯封機構５９、スタンプ５５および帯封紙幣出金口６０の間で移動自在となっている。
【００３９】
次に、帯封紙幣出金口６０およびシャッター機構６２の具体的な構成について図７乃至図９を用いて説明する。ここで、図７は、帯封紙幣出金口およびシャッター機構の構成を示す側面図であり、図８は、図７に示す帯封紙幣出金口に設けられた出金口ステージおよびこの出金口ステージの上方の空間に進入した搬送アームのＡ−Ａライン矢視による上面図である。また、図９は、図７に示す帯封紙幣出金口に設けられた出金口ステージおよび爪部材のＢ−Ｂライン矢視による上面図である。なお、図７および図８において参照符号Ｔは帯封紙幣を示し、参照符号Ｔａは帯封紙幣に巻かれた帯封紙を示す。
【００４０】
図７に示すように、帯封紙幣出金口６０の下部には、帯封紙幣Ｔが載置される昇降自在の出金口ステージ６１が設けられている。ここで、出金口ステージ６１には１つの帯封紙幣Ｔが集積されるようになっている。また、図７および図８に示すように、出金口ステージ６１の縁部からは側壁部６１ａが上方に延びるよう設けられている。より具体的には、図８に示すように、左右一対の２つの側壁部６１ａが出金口ステージ６１から上方に延びるよう設けられており、これらの２つの側壁部６１ａの間には、搬送アーム５２が進入可能な空間が形成されている。
【００４１】
図７に示すように、帯封紙幣Ｔが載置された搬送アーム５２が出金口ステージ６１の上方の空間に進入することができるようになっている。より具体的には、帯封紙幣Ｔが載置された搬送アーム５２は出金口ステージ６１の側壁部６１ａよりも上方の高さレベルにおいて出金口ステージ６１の上方の空間に進入し、その後、搬送アーム５２は下降するようになっている。そして、出金口ステージ６１の底部の近傍の位置まで搬送アーム５２が下降すると、搬送アーム５２の上アーム部分５２ａが上昇し、この搬送アーム５２は図８に示すような左右一対の側壁部６１ａの間の空間を通って出金口ステージ６１の上方の空間から退避するようになっている。搬送アーム５２が出金口ステージ６１の上方の空間から退避する際に、この搬送アーム５２に載置された帯封紙幣Ｔは側壁部６１ａに引っ掛かり、搬送アーム５２が退避した後にこの帯封紙幣Ｔは出金口ステージ６１上に引き渡されることとなる。
【００４２】
帯封紙幣出金口６０には、鉛直方向に沿って延びるガイド部材６３、６４、６５が設けられている。これらのガイド部材６３、６４、６５の間に、帯封紙幣Ｔが集積されるスペースが形成されている。ここで、ガイド部材６３とガイド部材６４とは互いに対向するよう設けられており、ガイド部材６５はガイド部材６４の上方に設けられている。また、ガイド部材６３の上部には、帯封紙幣の上方への動きを規制する規制部材６８が取り付けられている。この規制部材６８は、帯封紙幣出金口６０の上部において出金口ステージ６１と対向する位置に設けられている。
【００４３】
また、図７および図９に示すように、爪部材６６がガイド部材６３およびガイド部材６４に設けられている。図７に示すように、各爪部材６６はそれぞれ軸６６ａによりガイド部材６３やガイド部材６４に枢支されており、各爪部材６６は図７に示すような略水平方向に延びる状態から上方にのみ回動することができるようになっている。より具体的には、各爪部材６６は図示しない捩りバネが設けられており、軸６６ａを中心として爪部材６６を略水平方向に延びる状態から上方に回動させる場合にはこの捩りバネの捩り力に逆らって爪部材６６を回動させることとなる。
【００４４】
帯封紙幣出金口６０において、複数の束の帯封紙幣Ｔは各爪部材６６上に載置されるよう集積されるようになっている。すなわち、各爪部材６６は、当該爪部材６６に下方から力が作用していないときには略水平方向に延び、この略水平方向に延びる各爪部材６６上に複数の帯封紙幣Ｔが載置されるようになっている。そして、シャッター機構６２が開いたときには、操作者は各爪部材６６上にある複数の束の帯封紙幣Ｔを一括して取り出すことができるようになっている。
【００４５】
また、図９に示すように、帯封紙幣出金口６０において爪部材６６は合計５つ設けられており、帯封紙幣出金口６０の上方から見て、出金口ステージ６１には各爪部材６６に対応して５つの切欠部が形成されている。すなわち、出金口ステージ６１が各爪部材６６を通過するよう昇降した際に、出金口ステージ６１を上方から見て各爪部材６６はこの出金口ステージ６１に形成された各切欠部の位置に設けられているため、出金口ステージ６１が各爪部材６６に衝突することはない。
【００４６】
図７等に示すように、シャッター機構６２は外側シャッター部材６２ａおよび内側シャッター部材６２ｂの２枚のシャッター部材から構成されており、これらの２枚のシャッター部材６２ａ、６２ｂが二重構造となっている。そして、内側シャッター部材６２ｂが外側シャッター部材６２ａと重なった時点で、両方のシャッター部材６２ａ、６２ｂが重なって開くようになっている。なお、シャッター機構６２の内側には前述のようにガイド部材６５が設けられているため、シャッター機構６２が閉まっているときには各爪部材６６上にある複数の束の帯封紙幣Ｔがガイド部材６５によりガイドされ、帯封紙幣Ｔが散乱しないようになっている。
【００４７】
帯封部５０により帯封が行われた帯封紙幣Ｔを、帯封紙幣出金口６０の各爪部材６６上に集積させる方法については後述する。
【００４８】
次に、上述のような構成からなる紙幣処理装置１０の動作について説明する。
【００４９】
最初に、紙幣処理装置１０への紙幣の入金処理について説明する。紙幣の入金処理を行う際には、まず、紙幣処理装置１０における入出金口２０のシャッター機構２２を開き、操作者がバラ紙幣Ｓの束を入出金口２０に投入する。そして、シャッター機構２２を閉じると、入出金口２０に投入されたバラ紙幣Ｓは紙幣繰出機構２１により１枚ずつ搬送部３０に繰り出される。紙幣繰出機構２１により搬送部３０に繰り出された紙幣はループ形状の搬送路３２に搬送され、識別部３１によりその金種や正損、真偽等の識別が行われる。識別部３１により正常な紙幣ではないリジェクト紙幣であると識別された紙幣や、識別部３１により識別することができなかった紙幣は、搬送部３０から入金リジェクト部２４に送られ、この入金リジェクト部２４で集積される。一方、識別部３１により正常な紙幣であると識別された紙幣は、一時保留用収納カセット４２に対応する分岐箇所３５（図３における一番右側の分岐箇所３５）においてループ形状の搬送路３２から分岐部材３６により分岐搬送路３４に送られ、一時保留用収納カセット４２に搬送されることとなる。この一時保留用収納カセット４２において、ループ形状の搬送路３２から分岐搬送路３４を介して送られた紙幣が積層状態で一時的に保留される。
【００５０】
その後、紙幣の入金処理の確定が行われると、一時保留用収納カセット４２に一時的に保留された紙幣は識別部３１を通り、金種別に各収納カセット４０に送られる。この際に、一時保留用収納カセット４２からループ形状の搬送路３２に紙幣が一旦戻され、このループ形状の搬送路３２で搬送される紙幣が各分岐部材３６により各収納カセット４０に金種別に振り分けられることにより、ループ形状の搬送路３２から各分岐搬送路３４を介して各収納カセット４０に紙幣が送られ、紙幣が積層状態で金種別に各収納カセット４０に収納されることとなる。
【００５１】
次に、紙幣処理装置１０からのバラ紙幣の出金処理について説明する。バラ紙幣の出金処理を行う際に、各収納カセット４０に収納された紙幣が紙幣繰出機構４１により収納カセット４０から搬送部３０に１枚ずつ繰り出され、搬送部３０に繰り出された紙幣は識別部３１により識別が行われる。そして、正常な紙幣であると識別された紙幣は搬送部３０から入出金口２０に１枚ずつ送られ、この入出金口２０でバラ紙幣Ｓが積層状態に集積される。一方、識別部３１により正常な紙幣ではないリジェクト紙幣であると識別された紙幣や、識別部３１により識別することができなかった紙幣は、搬送部３０から出金リジェクト部２６に送られ、この出金リジェクト部２６で集積される。
【００５２】
その後、入出金口２０のシャッター機構２２が開くことにより、操作者は入出金口２０に集積されたバラ紙幣Ｓの束を取り出すことができるようになる。
【００５３】
次に、紙幣処理装置１０からの帯封紙幣の出金処理について説明する。帯封紙幣の出金処理を行う際に、各収納カセット４０に収納された紙幣が紙幣繰出機構４１により収納カセット４０から搬送部３０に１枚ずつ繰り出され、搬送部３０に繰り出された紙幣はこの搬送部３０の上部にある帯封部５０に搬送される。より具体的には、搬送部３０から一時保留ステージ５１上に紙幣が１枚ずつ送られ、この一時保留ステージ５１上で複数の紙幣が積層状態で集積される。一時保留ステージ５１上にある積層状態の複数のバラ紙幣の束Ｓ´は、搬送アーム５２によって、束ガイド部材５８でバラ紙幣の端部の広がりを防止するために押さえられながら一括して搬送される。
【００５４】
その後、搬送アーム５２は上部札締め部材５３と下部札締め部材５４との間の位置に移動する。そして、搬送アーム５２上にあるバラ紙幣の束Ｓ´に対して帯封紙供給部５７から帯封紙が供給され、バラ紙幣の束Ｓ´が帯封紙で巻かれる。なお、帯封紙供給部５７から帯封紙が供給される際に、この帯封紙に対して印字部６７により日付やシリアルナンバー等の印字が行われる。その後、帯封紙で巻かれたバラ紙幣の束Ｓ´は、上部札締め部材５３および下部札締め部材５４により上下方向から挟圧されるとともに、ヒータ５６により加熱させられる。このことにより、帯封紙によってバラ紙幣の束Ｓ´の帯封処理（結束処理）が行われ、帯封紙幣Ｔが形成される。
【００５５】
その後、搬送アーム５２により帯封紙幣がスタンプ５５に送られ、このスタンプ５５によって帯封紙幣Ｔの帯封紙に対して銀行名等の印字が行われる。
【００５６】
その後、帯封紙幣Ｔは帯封部５０から帯封紙幣出金口６０に送られ、この帯封紙幣出金口６０の各爪部材６６上に集積させられる。ここで、シャッター機構６２が帯封紙幣出金口６０を閉じた状態で、帯封紙幣出金口６０の各爪部材６６上には複数の束の帯封紙幣Ｔを集積させることができるようになっている。
【００５７】
帯封部５０により帯封が行われた帯封紙幣Ｔを、帯封紙幣出金口６０の各爪部材６６上に集積させる方法について図１０を用いてより詳細に説明する。
【００５８】
一例として、図１０（ａ）に示すように帯封紙幣出金口６０の各爪部材６６上に既に１つの帯封紙幣Ｔが載置されているような状態において、搬送アーム５２により帯封部５０から更に１つの帯封紙幣Ｔが帯封紙幣出金口６０に搬送される場合について説明する。この際に、出金口ステージ６１は帯封紙幣出金口６０の下部に位置している。図１０（ａ）に示すように、帯封紙幣Ｔが載置された搬送アーム５２は、出金口ステージ６１の側壁部６１ａよりも上方かつガイド部材６３よりも下方の高さレベルにおいて出金口ステージ６１の上方の空間に進入する。
【００５９】
その後、図１０（ｂ）に示すように、搬送アーム５２が出金口ステージ６１の底部の近傍の位置まで下降し、搬送アーム５２の上アーム部分５２ａが上方へ移動する。この際に、図８に示すように、搬送アーム５２は出金口ステージ６１の左右一対の側壁部６１ａの間の空間を通過する。そして、図１０（ｃ）に示すように、搬送アーム５２が図１０（ｂ）の右方に移動して出金口ステージ６１の上方の空間から退避する。ここで、搬送アーム５２が出金口ステージ６１の上方の空間から退避する際に、この搬送アーム５２に載置された帯封紙幣Ｔは側壁部６１ａに引っ掛かり、搬送アーム５２が退避した後にこの帯封紙幣Ｔは出金口ステージ６１上に引き渡されることとなる（図１０（ｃ）参照）。
【００６０】
そして、帯封紙幣Ｔが搬送アーム５２から出金口ステージ６１に引き渡された後、図１０（ｄ）に示すように、出金口ステージ６１が上昇する。出金口ステージ６１が上昇すると、この出金口ステージ６１に載置された帯封紙幣Ｔは図１０（ｄ）に示すように各爪部材６６に接触するが、出金口ステージ６１が図１０（ｄ）に示すような状態から更に上昇すると、図１０（ｅ）に示すように、出金口ステージ６１上の帯封紙幣Ｔが各爪部材６６を上方に押し上げ、軸６６ａを中心として各爪部材６６を上方に回動させる。そして、出金口ステージ６１が更に上昇すると、図１０（ｆ）に示すように、各爪部材６６はほぼ鉛直方向上方を向くよう帯封紙幣Ｔにより回動させられ、最終的には、各爪部材６６上に元々あった帯封紙幣Ｔと、出金口ステージ６１上の帯封紙幣Ｔとが重ね合わせられることとなる。
【００６１】
図１０（ｆ）に示すように、各爪部材６６上に元々あった帯封紙幣Ｔと、搬送アーム５２により新たに帯封紙幣出金口６０に送られた帯封紙幣Ｔとが出金口ステージ６１上で重ね合わせられ、更に出金口ステージ６１が各爪部材６６よりも上昇し、その後、図１０（ｇ）に示すようにこの出金口ステージ６１は下降する。このことにより、各爪部材６６はそれぞれ軸６６ａを中心として下方に回動し、これらの爪部材６６は略水平方向に延びる状態に戻る。そして、複数の束の帯封紙幣Ｔが、各爪部材６６上に集積されることとなる。なお、帯封紙幣出金口６０の上部において出金口ステージ６１と対向する位置に規制部材６８が設けられているので、この規制部材６８により、帯封紙幣Ｔの上方への動きが規制される。このことにより、各爪部材６６上に帯封紙幣Ｔを下方から集積させる際に、規制部材６８によって帯封紙幣の上方への膨らみが規制されるので、新券の帯封紙幣よりも厚さが大きくなりがちな流通紙幣の帯封紙幣は厚さ方向に圧縮されることとなる。このことにより、所定の束数の帯封紙幣を各爪部材６６上に集積させることができる。
【００６２】
その後、シャッター機構６２が開くことにより、操作者は帯封紙幣出金口６０の各爪部材６６上にある複数の束の帯封紙幣Ｔを一括して取り出すことができるようになる。
【００６３】
以上のように本実施の形態の紙幣処理装置１０によれば、筐体１２の内部において、紙幣の収納を行うための複数の収納カセット４０と、紙幣を一時的に保留するための一時保留用収納カセット４２とが並列に配置されている。そして、搬送部３０における各収納カセット４０または一時保留用収納カセット４２への分岐箇所３５にそれぞれ分岐部材３６が設けられており、これらの分岐部材３６により、搬送部３０により搬送される紙幣は特定の収納カセット４０または一時保留用収納カセット４２に振り分けられるようになっている。このように、各収納カセット４０と一時保留用収納カセット４２とが略水平方向に沿って並列に配置されているので、筐体１２の高さが大きくなってしまうことを抑止することができるとともに収納カセット４０および一時保留用収納カセット４２の容量を大きくすることができる。そして、収納カセット４０の容量を大きくすることができるので紙幣処理装置１０は紙幣を大量に収納することができ、また、一時保留用収納カセット４２の容量を大きくすることができるので一回の取引で大量の紙幣の入金処理を行うことができる。
【００６４】
また、本実施の形態の紙幣処理装置１０では、一時保留用収納カセット４２が各収納カセット４０と略同一の容量（紙幣収納量）を有するようにすることができる。この場合には、一時保留用収納カセット４２を収納カセット４０と同一部品で構成させることができるようになる。
【００６５】
また、搬送部３０は、各収納カセット４０および一時保留用収納カセット４２の上方に配置される横長のループ形状の搬送路３２を有している。このため、筐体１２の高さが大きくなってしまうことをより一層抑止することができる。また、筐体１２の奥行き方向に収納カセット４０を増設する場合にも、紙幣処理装置１０の内部の構成を大幅に変更する必要がなくなる。
【００６６】
また、搬送部３０は、ループ形状の搬送路３２からそれぞれ下方に分岐して各収納カセット４０および一時保留用収納カセット４２に接続される複数の分岐搬送路３４を有している。また、各分岐部材３６は、ループ形状の搬送路３２から分岐搬送路３４が分岐する分岐箇所３５に設けられる分岐爪からなり、各分岐部材３６は軸３６ａを中心として回転自在となっている。そして、ループ形状の搬送路３２で搬送される紙幣を各収納カセット４０または一時保留用収納カセット４２に送る際に、紙幣が送られるべき収納カセット４０または一時保留用収納カセット４２に対応する分岐部材３６が回転することにより搬送部３０により搬送される紙幣が特定の収納カセット４０または一時保留用収納カセット４２に振り分けられるようになっている。このような分岐爪からなる分岐部材３６が各分岐箇所３５に設けられていることにより、搬送部３０により搬送される紙幣を確実に特定の収納カセット４０または一時保留用収納カセット４２に振り分けることができる。
【００６７】
また、筐体１２の内部において搬送部３０の上方に帯封部５０が設けられているので、入出金口２０と帯封部５０の位置が近くなり、紙幣の出金処理のための紙幣処理装置１０の構成が簡単になる。また、入出金口２０の近傍に帯封紙幣出金口６０を設けているので、バラ紙幣と帯封紙幣の出金口を別々に配置しても操作者による各出金口からの紙幣の取り忘れをできるだけ防ぐようにすることができる。
【図面の簡単な説明】
【００６８】
【図１】本発明の一の実施の形態における紙幣処理装置の外観を示す斜視図である。
【図２】図１に示す紙幣処理装置の正面図である。
【図３】図１に示す紙幣処理装置の内部の構成を示す構成図である。
【図４】図３に示す紙幣処理装置に設けられた分岐部材の構成を示す拡大説明図であり、より詳細には、分岐箇所に対して右側の搬送路から紙幣が搬送されたときの分岐部材の向きを示す図である。
【図５】図３に示す紙幣処理装置に設けられた分岐部材の構成を示す拡大説明図であり、より詳細には、分岐箇所に対して左側の搬送路から紙幣が搬送されたときの分岐部材の向きを示す図である。
【図６】図３に示す紙幣処理装置に設けられた分岐部材の構成を示す拡大説明図であり、より詳細には、分岐箇所に対して分岐搬送路から紙幣が搬送されたときの分岐部材の向きを示す図である。
【図７】図３に示す紙幣処理装置に設けられた帯封紙幣出金口およびシャッター機構の構成を示す側面図である。
【図８】図７に示す帯封紙幣出金口に設けられた出金口ステージおよびこの出金口ステージの上方の空間に進入した搬送アームのＡ−Ａライン矢視による上面図である。
【図９】図７に示す帯封紙幣出金口に設けられた出金口ステージおよび爪部材のＢ−Ｂライン矢視による上面図である。
【図１０】（ａ）〜（ｇ）は、図３に示す紙幣処理装置に設けられた帯封部から帯封紙幣出金口に帯封紙幣が引き渡されるときの動作を順に示す図である。
【符号の説明】
【００６９】
１０  紙幣処理装置
１２  筐体
２０  入出金口
２１  紙幣繰出機構
２２  シャッター機構
２４  入金リジェクト部
２６  出金リジェクト部
３０  搬送部
３１  識別部
３２  ループ形状の搬送路
３４  分岐搬送路
３５  分岐箇所
３６  分岐部材
３６ａ  軸
３６ｂ  先端部分
４０  収納カセット
４１  紙幣繰出機構
４２  一時保留用収納カセット
４３  紙幣繰出機構
５０  帯封部
５１  一時保留ステージ
５２  搬送アーム
５２ａ  上アーム部分
５２ｂ  下アーム部分
５３  上部札締め部材
５４  下部札締め部材
５５  スタンプ
５６  ヒータ
５７  帯封紙供給部
５８  束ガイド部材
５９  帯封機構
６０  帯封紙幣出金口
６１  出金口ステージ
６１ａ  側壁部
６２  シャッター機構
６３  ガイド部材
６４  ガイド部材
６５  ガイド部材
６６  爪部材
６６ａ  軸
６７  印字部
６８  規制部材
【図１】
0005602357.tif 000002
【図２】
0005602357.tif 000003
【図３】
0005602357.tif 000004
【図４】
0005602357.tif 000005
【図５】
0005602357.tif 000006
【図６】
0005602357.tif 000007
【図７】
0005602357.tif 000008
【図８】
0005602357.tif 000009
【図９】
0005602357.tif 000010
【図１０】
0005602357.tif 000011